(57)【要約】【課題】結合トランスの電磁誘導作用により非接触でドアの施解錠電力を供給する電子錠装置を提供する。【解決手段】ドア枠側に結合トランス１０の１次側を具備した１次ユニット９を設置し、ドア側に前記結合トランス１０の２次側を具備した２次ユニット１１を設置し、前記１次ユニット９から２次ユニット１１へ電磁誘導作用により非接触でドアの施解錠に必要な電力を供給するように構成した。【選択図】        図３
2004293151.tif 000002
【特許請求の範囲】
【請求項１】
ドア枠側に結合トランスの１次側を具備した１次側ユニットを設置し、ドア側に前記１次側と分離可能に構成した結合トランスの２次側を具備した２次側ユニットを設置し、前記結合トランスの電磁誘導作用により１次側ユニットから２次側ユニットへ非接触で電力を供給する電源装置と、該電源装置により前記２次側ユニットに供給された電力を利用してドアの施解錠を切り換える制御装置を具備して構成したことを特徴とする電子錠装置。
【請求項２】
前記制御装置は、前記１次側ユニットに、前記２次側ユニットに具備した第２の信号送受信回路との間で信号の授受を行う第１の信号送受信回路と、該第１の信号送受信回路の出力に応じて前記電源装置の駆動／停止を切り換える駆動停止回路を具備し、前記２次側ユニットには、ドアの施解錠情報を前記第２の信号送受信回路に出力する鍵状態検出回路と、解錠用の暗号を入力するための暗号入力回路、該暗号入力回路から入力された暗号の正誤を判断して、その結果を第２の信号送受信回路に出力する判定回路と、所定時間の計測を行うタイマ回路、および、第２の信号送受信回路の出力に応じて施錠／解錠を切り換える切換回路を具備して構成したことを特徴とする請求項１記載の電子錠装置。
【請求項３】
前記制御装置は、第１の信号送受信回路から第２の信号送受信回路に対して２次側ユニットへの給電が可能か否かの確認信号を定期的に送信し、第２の信号送受信回路は、第１の信号送受信回路から前記確認信号を受信している状況において、前記タイマ回路が所定時間の計測を終了したとき、または、前記判定回路から入力パスワードが正しい旨の情報信号が出力されたときに、第１の信号送受信回路に対して２次側ユニットへの給電が可能である旨の信号を返信するものとし、前記第１の信号送受信回路は、第２の信号送受信回路からの返信信号の受信の有無に応じて前記駆動停止回路の駆動／停止を切り替えるように構成したことを特徴とする請求項２記載の電子錠装置。
【請求項４】
前記制御装置は、第２の信号送受信回路が第１の信号送受信回路から前記確認信号を受信しないとき、前記第１の信号送受信回路に対して如何なる信号の送信も行わないように構成したことを特徴とする請求項２，３記載の電子錠装置。
【請求項５】
前記制御装置は、ドア付近の人体を検出する手段と、前記ドアの鍵穴を照らし出す光源を備え、前記第２の信号送受信回路は、第１の信号送受信回路から前記確認信号を受信している状況で、前記鍵状態検出回路から施錠状態を示す信号と、前記人体検出手段から人体を検出した旨の信号が出力された場合、前記鍵状態検出回路から解錠状態を示す信号が出力されるまでの間、前記光源を点灯させるように構成したことを特徴とする請求項２ないし４記載の電子錠装置。
【発明の詳細な説明】
【０００１】
【発明の属する技術分野】
本発明は、ドアの施解錠を電気的に行う電子錠の制御装置に関する。
【０００２】
【従来の技術】
従来からドアを電気的に施錠および解錠する所謂、電子錠装置はよく知られている。前記電子錠装置としては、例えば、ドアのデッドボルトを機械的に操作する施解錠機構を取付け、遠隔より前記施解錠機構の操作指令を出力することによって、前記施解錠機構によりデッドボルトを操作して、ドアを施錠または解錠するものが一例として揚げられる（例えば、特許文献１参照）。
【０００３】
【特許文献１】
特開平６−５００３９号（第３頁、第１図）
【０００４】
【発明が解決しようとする課題】
然るに、前記電子錠装置は、施解錠機構に電源を供給するための給電コードが必要であり、前記給電コードは、前記施解錠機構が設置されるドアの開放側からドア内部を通してドアの支軸側まで配設し、そこからドア外部の固定電源（商用電源等）に接続されることが多く、そのための工事に相当の手間と費用が必要であった。
【０００５】
このような場合、ドアを開閉する都度、前記給電コードが引き回されたり、或いは、前記給電コードのある一点で屈曲が繰り返されることが考えられ、これにより、前記給電コードが劣化・損傷したり、断線事故を発生する危険もあった。
【０００６】
このような問題を解決するために、従前からドアに設置する施解錠機構にバッテリーを具備して、このバッテリー電源を利用して施錠・解錠に必要な電力を得る方法も採用されているが、この場合、装置の小型化を考慮して、前記バッテリーとして単３電池を使用することが一般的であるが、単３電池はその電力の消耗によって頻繁に電池の交換作業が必要となり、非常に不便であった。
【０００７】
そこで、本発明は前述した問題を解決すべく、ドアの開閉によって給電コードが断線事故等を生じることなく、また、バッテリーの交換作業を一切必要としない電子錠装置を提供することを目的とする。
【０００８】
【問題を解決するための手段】
請求項１記載の電子錠装置は、ドア枠側に結合トランスの１次側を具備した１次側ユニットを設置し、ドア側に前記結合トランスの２次側を具備した２次側ユニットを設置し、前記結合トランスの電磁誘導作用により１次側ユニットから２次側ユニットへ非接触で電力を供給する電源装置と、該電源装置によって前記２次側ユニットに供給された電力を利用してドアの施解錠を切り換える制御装置を具備して構成した。
【０００９】
請求項１記載の電子錠装置によれば、施錠または解錠用の電力を給電コードによって供給する必要がないので、前記給電コードがドアの開閉によって引き回されて損傷したり、劣化することを確実に防止できる。
【００１０】
また、請求項１記載の電子錠装置によれば、施錠または解錠用の電力をバッテリを用いて確保する必要がないので、バッテリの交換作業が一切必要ない。
【００１１】
請求項２記載の電子錠装置は、請求項１記載の電子錠装置において、前記制御装置は、１次側ユニットに、２次側ユニットに備えた第２の信号送受信回路との間で信号の授受を行う第１の信号送受信回路と、該第１の信号送受信回路の出力に応じて前記電源装置の駆動／停止を切り換える駆動停止回路を具備し、前記２次側ユニットには、ドアの施解錠情報を前記第２の信号送受信回路に出力する鍵状態検出回路と、解錠用の暗号を入力するための暗号入力回路、該暗号入力回路から入力された暗号の正誤を判断して、その結果を第２の信号送受信回路に出力する判定回路と、所定時間の計測を行うタイマ回路と、第２の信号送受信回路の出力に応じて施錠／解錠を切り換える切換回路を具備して構成した。
【００１２】
請求項２記載の電子錠装置によれば、ドアの開閉状態や施錠／解錠状態等を確実に把握して、必要なときのみ２次側ユニットに電力を供給することができるので、無駄な電力消費を防止することができる。
【００１３】
請求項３記載の非接触電源装置は、請求項２記載の非接触電源装置において、前記制御装置は、第１の信号送受信回路から第２の信号送受信回路に対して２次側ユニットへの給電が可能か否かの確認信号を定期的に送信し、第２の信号送受信回路は、第１の信号送受信回路から前記確認信号を受信している状況において、前記タイマ回路が所定時間の計測を終了したとき、または、前記判定回路から入力パスワードが正しい旨の情報信号が出力されたときに、第１の信号送受信回路に対して２次側ユニットへの給電が可能である旨の信号を返信するものとし、前記第１の信号送受信回路は、第２の信号送受信回路からの返信信号の受信の有無に応じて前記駆動停止回路の駆動／停止を切り替えるように構成した。
【００１４】
請求項３記載の電子錠装置によれば、施錠忘れを確実に防止することができるので防犯上有益であるとともに、正しいパスワードの入力により簡単に解錠が可能となる。
【００１５】
請求項４記載の電子錠装置は、請求項２，３記載の電子錠装置において、前記制御装置は、第２の信号送受信回路が第１の信号送受信回路から前記確認信号を受信しないとき、前記第１の信号送受信回路に対して如何なる信号の送信も行わないように構成した。
【００１６】
請求項４記載の電子錠装置によれば、ドアの開閉状況に応じて不用に信号の送受信が行われることを確実に防止できる。
【００１７】
請求項５記載の電子錠装置は、請求項２から４記載の電子錠装置において、前記制御装置は、ドア付近に存在する人体を検出する手段と、鍵穴を照らし出す光源を備え、前記第２の信号送受信回路は、第１の信号送受信回路から前記確認信号を受信している状況で、前記鍵状態検出回路から施錠状態を示す信号と、前記人体検出手段から人体を検出した旨の信号が出力された場合、前記鍵状態検出回路から解錠状態を示す信号が出力されるまでの間、前記光源を点灯させるように構成した。
【００１８】
請求項５記載の電子錠装置によれば、キーシリンダの鍵穴を照明することにより、夜間などに、鍵の開放に手間取ることを確実に防止できる。
【００１９】
【発明の実施の形態】
以下、本発明の実施の形態を図１ないし図５により説明する。図１はフラッシュ式ドア１に本発明の電子錠装置Ａを設置した状態を示す斜視図であり、図１において、２はドア１の室外側に取り付けたドア開閉操作用のハンドル（以下、室外側ハンドルという）である。
【００２０】
３は前記室外側ハンドル２と後述する室内側ハンドルを操作することによって、ドア１の開放側の側面からドア枠４に穿設したラッチ孔５に対して出没動作するラッチボルトであり、６は手動で施錠および解錠操作するサムターン（図２参照）の回し操作によって、前記ラッチ孔５の近傍に穿設した鍵受孔７に対して出没動作するデッドボルトを示している。
【００２１】
８はドア１を室外側から手動で施錠あるいは解錠操作する際に使用する鍵の挿入孔８ａを備えたキーシリンダであり、９は結合トランス１０（図３参照）を構成する１次コア（図示せず）と、これに巻回する１次巻線１０ａを備えて、ドア枠４に揺動不能に取り付けた１次側ユニットを示している。
【００２２】
１１はドア１が閉じた状態において、前記１次コアとの間に所定の間隙を有して対向配置される２次コア（図示せず）と、前記２次コアに巻回した２次巻線１０ｂ（図３参照）を備えた２次側ユニットであり、ドア１の開放側に揺動不能に取り付けられている。
【００２３】
また、１２はドア１を開閉操作する者（以下、利用者という）が、通常時、鍵をキーシリンダ８の挿入孔８ａに挿入して、前記キーシリンダ８を操作することによりドア１を解錠する方法に代えて、前記キーシリンダ８を操作することなく室外側からドア１を解錠したいときに、解錠用の暗号（パスワード）を入力するためのパネル装置を示している。
【００２４】
図２は２次側ユニット１１を取り付けた場合のドア１の開放側を示す側面図であり、ドア１には、室外側ハンドル２と対称位置に前記室外側ハンドル２と同構成の室内側ハンドル１３が取り付けられている。また、ドア１の室内側には、手動で前記デッドボルト６を鍵受孔７に対して出没動作するサムターン１４が設置されている。
【００２５】
さらに、前記サムターン１４またはキーシリンダ８の操作をラッチボルト３とデッドボルト６の出没動作に変換する機械的な機構と、電力制御によって前記デッドボルト６を電気的に出没動作させる駆動部を備えた電子錠１５は、ドア１の開放側面からドア１の内部方向に所定の深さで穿設した設置スペース内にネジ等の固定手段１６を利用して確実に収容・固定されている。
【００２６】
また、前記電子錠１５の近傍（図２では電子錠１５の上方）には、電子錠１５と同様に、２次側ユニット１１がドア１の開放側面からドア１の内部に向けて所定の深さで穿設した設置スペースにネジ等の固定手段１６によって収容・固定されている。
【００２７】
次に、前記１次側ユニット９と２次側ユニット１１およびパネル装置１２を含む電子錠装置Ａの構成を図３のブロック図を用いて説明する。図３において、１７は電子錠装置Ａの１次側ユニット９に電力を供給する商用電源であり、１８は商用電源１７の出力を整流平滑する回路（整流平滑回路）を示している。
【００２８】
１９は前記整流平滑回路１８の出力を再び交流に変換した後、交番電流を結合トランス１０に印加する駆動停止回路であり、２０は２次側ユニット１１との間で各種信号の授受を行なう第１の信号送受信回路を示している。
【００２９】
２１は前記結合トランス１０の２次側に接続した整流平滑回路であり、２２は第１の信号送受信回路２０との間で各種信号の授受を行なう第２の信号送受信回路を示している。なお、前記第１，２の信号送受信回路２０，２２は、例えば、結合トランス１０の１次コアおよび２次コア（ともに図示せず）に、信号送受信用の巻線２３ａ，２３ｂを巻回して構成されており、この信号送受信用の巻線２３ａ，２３ｂに各々の信号送受信回路２０，２２から変調信号を印加することにより、結合トランス１０の電磁誘導作用を利用して、互いに対向する信号送受信用の巻線２３ｂ，２３ａに信号を伝達するように構成されている。
【００３０】
２４はドア１の施解錠状態を検出する鍵施解錠検出回路であり、例えば、図４に示すように構成されている。つまり、前記鍵施解錠検出回路２４は、デッドボルト６が解錠したときデッドボルト６の後端部６ａにてスイッチ片２５ａが押圧される位置にリミットスイッチ２５を設置し、前記デッドボルト６の進退動作（施解錠動作）に応じて前記スイッチ片２５ａの押圧／押圧解除を可逆的に切り換えて、施錠状態と解錠状態を示す情報信号を前記第２の信号送受信回路２２に出力するように構成されている。
【００３１】
２６は前記第２の信号送受信回路２２が、第１の信号送受信回路２０の送信信号を受信している場合において、前記鍵状態検出回路２４から解錠状態を示す信号を受信した際に出力する指令信号を受けて、予め任意に設定した時間の計測を行うタイマ回路であり、２７は前記デッドボルト６を出没動作させる駆動部（例えば、ブラシモータ等の直流モータ）２７である。
【００３２】
２８は第２の信号送受信回路２２の出力に応じて、前記駆動部２７に供給する電流の向きを切り換える切換回路であり、２９は前記パネル装置１２から入力されたパスワードの正誤を判断する判定回路を示している。そして、前記判定回路２９の判定結果は、情報信号として前記第２の信号送受信回路２２に入力される。なお、図３において、実線の矢印は電力の流れを示し、点線の矢印は信号の流れを示している。
【００３３】
また、駆動部２７によるデッドボルト６の進退は、図５に示す機構によって実現すればよい。即ち、図５は前記駆動部２７の回転動作をデッドボルト６の直線動作に変換する装置の一例を示しており、前記駆動部２７は、ドア１内部の側面に固定器具３０によって揺動不能に取り付ける。
【００３４】
また、前記駆動部２７の出力軸３３は先端に図示しない歯車を具備して、固定器具３１によって前記駆動部２７の近傍に揺動不能に取り付けられた減速機構３２内部の図示しない歯車に連動可能に連結されている。
【００３５】
一方、前記デッドボルト６は、その一端を図示しないラック（歯ざお）として減速機構３２を構成する内部歯車（図示せず）と噛み合って連動連結する。これにより、前記駆動部２７が出力軸３３を正・逆回転すると、前記出力軸３３の正・逆回転は前記減速機構３２によって充分減速された後デッドボルト６に伝達されて、前記デッドボルト６を図１に示す鍵受孔７に対して出没させる。
【００３６】
つづいて、前記電子錠装置Ａの動作について説明する。まず最初に、１次側ユニット９と商用電源１７を図示しない給電コードで接続すると、１次側ユニット９には商用電源１７から電力が供給される。これにより、第１の信号送受信回路２０は商用電源１７から制御電源を確保して、２次側ユニット１１に対して給電が可能か否かの確認信号を外部に向けて定期的（例えば、５秒間隔）に送信する。
【００３７】
このとき、ドア１が閉じていれば、１次側ユニット９と２次側ユニット１１は対向しているので、第１の信号送受信回路２０が外部送信した前記確認信号は、第２の信号送受信回路２２によって確実に受信される。
【００３８】
前記確認信号を受信した第２の信号送受信回路２２は、鍵状態検出回路２４の出力（情報信号）が施錠状態を示すものであり、かつ、判定回路２９の出力（情報信号）が、パネル装置１２の入力パスワードが正しい旨を示していれば、前記第１の信号送受信回路２０に対して、２次側ユニット１１への給電を行うよう指令信号を返信するとともに、前記切換回路２８を切り替え操作して、駆動部（以下、単にモータという）２７を正回転するように制御する。
【００３９】
第２の信号送受信回路２２から返信信号を受信した第１の信号送受信回路２０は、駆動停止回路１９を駆動することにより、結合トランス１０の電磁誘導作用を利用して、１次側ユニット９から２次側ユニット１１へ非接触で電力を供給する。
【００４０】
２次側ユニット１１に伝達された電力は整流平滑回路２１で直流電圧に変換されて、切換回路２８に供給される。また、前記整流平滑回路２１から出力される直流のプラス電圧は、図示しない直流電源に供給されて２次側ユニット１１を構成する各種回路の制御電源（図示せず）を作る。
【００４１】
このとき、切換回路２８は、２次側ユニット１１に供給された電力によってモータ２７が正回転するようにスイッチングしているので、２次側ユニット１１に供給された電力によってモータ２７は正回転して、ドア１を施錠状態から解錠状態に移行させる。
【００４２】
ドア１が解錠されると、ドア１の解錠状態は鍵状態検出回路２４によって即座に検出され、第２の信号送受信回路２２に情報信号として入力されるので、前記第２の信号送受信回路２２は、ドア１が施錠状態から解錠状態に移行したことを確認して、第１の信号送受信回路２０に給電を停止する旨の信号を送信する。
【００４３】
第１の信号送受信回路２０は、この信号を受信することにより駆動停止回路１９を制御して１次側ユニット９から２次側ユニット１１への給電を停止する。
【００４４】
以上の動作をまとめると、ドア１が施錠された状態で利用者がパネル装置１２から予め設定した正しいパスワードを入力した場合、１次側ユニット９から２次側ユニット１１に電力が供給されるとともに、切換回路２８はモータ２７が正回転するようにスイッチングする。
【００４５】
これにより、２次側ユニット１１に供給された電力は、モータ２７を正回転させて図４に示すデッドボルト６をドア１内に後退させて、ドア１を解錠する。
【００４６】
また、鍵状態検出回路２４が施錠状態を示す信号を出力しているときに、パネル装置１２からパスワードの入力がない場合や、入力されたパスワードが誤っている場合には、第２の信号送受信回路２２は第１の信号送受信回路２０に確認信号に対する返信を行わない。これにより、第１の信号送受信回路２０は、駆動停止回路１９の駆動を停止して、２次側ユニット１１への給電を停止する。
【００４７】
つまり、正しいパスワードを入力しない限り、２次側ユニット１１に電力が供給されることはなく、ドア１は施錠状態を継続する。
【００４８】
一方、第２の信号送受信回路２２が第１の信号送受信回路２０から確認信号を受信しており、第２の信号送受信回路２２が鍵状態検出回路２４から解錠状態を示す情報信号を入力した場合、第２の信号送受信回路２２はタイマ回路２６の起動を開始して、予め任意に設定した所定時間の計測を行う。
【００４９】
そして、タイマ回路２６が所定時間の計測を終了すると、第２の信号送受信回路２２は、第１の信号送受信回路２０に前記確認信号に対する返信信号を送信するとともに、切換回路２８に対して、モータ２７が逆回転するようにスイッチング指令を送信する。
【００５０】
前記返信信号を受信した第１の信号送受信回路２０は、前記駆動停止回路１９を駆動して１次側ユニット９から２次側ユニット１１へ電力を供給し、モータ２７を逆回転させて、図４に示すデッドボルト６を鍵受孔７内に進出させる。
【００５１】
ドア１の施錠が行われると、この施錠状態は鍵状態検出回路２４によって即座に検出されて第２の信号送受信回路２２に出力される。第２の信号送受信回路２２はこの情報信号を基に、ドア１が解錠状態から施錠状態に移行したことを確認し、第１の信号送受信回路２０に給電を停止する旨の情報信号を送信する。
【００５２】
これにより、前記第１の信号送受信回路２０は、駆動停止回路１９を停止して１次側ユニット９から２次側ユニット１１へ電力が供給されることを停止する。
【００５３】
すなわち、ドア１が閉じた状態で、予め任意に設定した時間だけ解錠状態が継続していると、１次側ユニット９から２次側ユニット１１へ電力の供給が行われて、モータ２７を逆回転駆動することにより、ドア１を自動的に施錠して施錠忘れを確実に防ぐことができる。
【００５４】
なお、ドア１が開いた状態では、第１の信号送受信回路２０から送信された確認信号は第２の信号送受信回路２２で受信されないので、当然、第２の信号送受信回路２２が第１の信号送受信回路２０に返信信号を送信することはなく、第１の信号送受信回路２０は駆動停止回路１９の駆動を停止して、給電不要時に１次側ユニット９から２次側ユニット１１へ無駄に電力が供給されることはない。
【００５５】
以上説明したように、本発明の電子錠装置Ａは、ドア１が施錠状態にあれば、パネル装置１２から所定のパスワードを入力することによって簡単に解錠することができ、また、ドア１が解錠状態を所定時間継続していれば、自動的に施錠することができる。
【００５６】
つまり、帰宅時にドア１を開ける際、キーシリンダ８の挿入孔８ａ（図１参照）に鍵を挿入してキーシリンダ８を操作することにより解錠する必要はなく、パスワードの入力によってドア１を迅速に開けることができ、また、帰宅時や外出時にドア１の施錠を忘れた場合でも自動的に施錠されるので、防犯上非常に有効である。
【００５７】
次に、本発明の第２実施例を図６を用いて説明する。図６に示す電子錠装置Ｂは、電子錠装置Ａ（図３参照）に、ドア１付近に存在する人体を検出するセンサ（例えば、赤外線や超音波を利用した人体検出センサ）４１とキーシリンダ８の挿入孔８ａを照らし出す電球等の光源を具備した照明手段４２を備えて構成されている。
【００５８】
前記電子錠装置Ｂは、第２の信号送受信回路２２が第１の信号送受信回路２０から確認信号（２次側ユニット１１への給電が可能か否かの確認信号）を受信しており、鍵状態検出回路２４から施錠状態を示す情報信号を入力されたときに、人体検出手段４１が人体の存在を検出した旨の信号を出力した場合、第２の信号送受信回路２２から照明手段４２に対して、鍵状態検出回路２４から解錠状態を示す情報信号が入力されるまでの間、キーシリンダ８の挿入孔８ａを照出するための指令信号が出力される。
【００５９】
これにより、前記挿入孔８ａに鍵が差し込まれ、キーシリンダ８が操作されるか、パネル装置１２から所定のパスワードが入力されてドア１が解錠されるまでの間、前記挿入孔８ａは照明手段４２によって照らし出され、その後、ドア１が解錠することによって前記照明手段４２は消灯する。
【００６０】
つまり、電子錠装置Ｂにおいては、人体がドア１に接近するとドア１が解錠するまでの間、鍵孔（挿入孔）８ａが照明手段４２によって照らし出され、夜間等、周囲の明るさが充分でない状況において、鍵穴（挿入孔）８ａの位置を把握することができずに、解錠に手間取るといった問題の発生を確実に阻止することができる。
【００６１】
このように、本発明の電子錠装置Ａ，Ｂは、ドア１の施解錠用の電力を結合トランスの電磁誘導作用を利用して非接触で供給するように構成したので、従前のように、電力供給用の給電コードを、例えば、ドア１の支軸側下端部からドア１の内部に引き込んで、ドア１の中央部付近まで配設する必要は一切なく、これによりドア１を開閉操作した際に前記給電コードが引き回されて損傷・劣化したり、断線等の事故を誘発する問題の発生を確実に解消することができる。
【００６２】
【発明の効果】
請求項１記載の電子錠装置は、結合トランスの電磁誘導作用によってドアの施解錠に必要な電力を供給するように構成したので、従前のように、給電コードをドアの内部に引込み、電子錠が設置されるドア中央部付近まで配設する必要はなく、また、ドアの開閉によっても前記給電コードが引き回されて、損傷・劣化したり、断線等の事故を誘発することを確実に防止することができ、利便である。
【００６３】
請求項２記載の電子錠装置は、ドアが開いている場合は１次側ユニットから２次側ユニットへの給電を停止して無駄に電力が消費されることを確実に防止でき、また、ドアが閉じている場合は１次側ユニットから２次側ユニットへ供給される電力によりドア１の施解錠を円滑・良好に行うことができ、効果的である。
【００６４】
請求項３記載の電子錠装置は、ドアの解錠状態が一定時間継続した場合や、利用者が所定のパスワードを入力した場合、ドアを自動的に施錠または解錠することができるので、外出時や帰宅時に施錠を忘れた場合でも自動的に施錠できるとともに、帰宅時等に鍵を利用することなく所定のパスワードの入力により簡単・確実にドアを解錠することができ、非常に便利である。
【００６５】
請求項４記載の電子錠装置は、ドアが開いた状態では第２の信号送受信回路から第１の信号送受信回路に如何なる信号も送信されないので、第１の信号送受信回路が信号受信不可である状況で、無駄に前記第２の信号送受信回路から信号が送信されることはなく、有効である。
【００６６】
請求項５記載の電子錠装置は、利用者がドアに接近した際に鍵穴を照らす照明手段を具備して構成したので、夜間等、周囲が暗い状況で鍵穴の位置が把握できずに解錠に手間取るといった問題の発生を良好に阻止することができ、非常に便利である。
【図面の簡単な説明】
【図１】本発明の電子錠装置を設置したフラッシュ式ドアを示す斜視図である。
【図２】前記電子錠装置を設置したフラッシュ式ドアを開放側からみた要部拡大側面図である。
【図３】本発明の第１実施例における電子錠装置の構成を示すブロック図である。
【図４】本発明の電子錠装置において、鍵の施解錠状態を検出するための装置の一例を示す要部切欠断面図である。
【図５】前記電子錠装置の駆動部の回転運動をデッドボルトの直線運動に変換する装置の一例を示す側面図である。
【図６】本発明の第２実施例における電子錠装置の構成を示すブロック図である。
【符号の説明】
１  フラッシュ式ドア
４  ドア枠
６  デッドボルト
７  鍵受孔
９，９ａ  １次側ユニット
１１，１１ａ  ２次側ユニット
１２  パネル装置
１５  電子錠
１８，２１  整流平滑回路
１９  駆動停止回路
２０  第１の信号送受信回路
２２  第２の信号送受信回路
２３ａ，２３ｂ  信号送受信用の巻線
２４  鍵状態検出回路
２６  タイマ回路
２７  駆動部（モータ）
２８  切換回路
２９  判定回路
４１  人体検出手段
４２  照明手段
Ａ，Ｂ  電子錠装置
【図１】
2004293151.tif 000003
【図２】
2004293151.tif 000004
【図３】
2004293151.tif 000005
【図４】
2004293151.tif 000006
【図５】
2004293151.tif 000007
【図６】
2004293151.tif 000008